(57)【要約】【課題】  好みの店舗を決定してその店舗のＵＲＬにジャンプするために画面切り替えなどの煩雑な操作をすることなく、視覚的かつ簡単な操作で短時間に好みの店舗を決定できる携帯電話機を提供すること。【解決手段】  表示画面サイズよりも大きなサイズの地図を店舗の地図上の位置やポップアップ情報や店舗のＵＲＬ情報を含む店舗情報と共にダウンロードし、地図上の店舗の位置に重畳表示した店舗マークを数字キーを割り当てたカーソル進行キーで順に強調表示しながら好みの店舗を選択する。表示画面内に好みの店舗がない場合は、携帯電話機の数字キーを割り当てたスクロールキーで表示画面に表示する地図を上下左右にスクロールする。【選択図】図１
2009177437.tif 000002
【特許請求の範囲】
【請求項１】
表示画面より広い領域を有し地図上の所定の位置に所定のＵＲＬにリンクするリンク情報を有する地図情報を受信する通信手段と、
２、４、６及び８キーに割り当てて前記表示画面における前記地図の表示をスクロールするスクロールキーと、
前記表示画面に前記所定の位置が表示されている場合に該表示画面に表示されている所定の位置が個々に選択されたことを順に走査してカーソルによって表示させるカーソル進行キーと、
該カーソルが表示している所定の位置にリンクしているＵＲＬの情報を表示する選択キーと、
該通信手段と該スクロールキーと該カーソル進行キーと該選択キーを制御する制御手段と、
を備えることを特徴とする携帯電話機。
【請求項２】
前記カーソル進行キーがカーソル表示する順とは逆順にカーソルを走査するカーソル後退キーを更に備え、
該制御手段は該カーソル後退キーをも制御することを特徴とする請求項１記載の携帯電話機。
【請求項３】
前記スクロールキーとして更に１、３、７及び９キーが割り当てられていることを特徴とする請求項１又は２記載の携帯電話機。
【請求項４】
コンピュータを、
表示画面より広い領域を有し地図上の所定の位置に所定のＵＲＬにリンクするリンク情報を有する地図情報を受信する通信手段と、２、４、６及び８キーに割り当てて前記表示画面における前記地図の表示をスクロールするスクロールキーと、前記表示画面に前記所定の位置が表示されている場合に該表示画面に表示されている所定の位置が個々に選択されたことを順に走査してカーソルによって表示させるカーソル進行キーと、該カーソルが表示している所定の位置にリンクしているＵＲＬの情報を表示する選択キーと、該通信手段と該スクロールキーと該カーソル進行キーと該選択キーを制御する制御手段と、を備える携帯電話機
として機能させるためのプログラム。
【発明の詳細な説明】
【技術分野】
【０００１】
本発明は、簡単な操作でインターネット閲覧機能を使用して表示画面に地図を表示し、この地図上に現れる登録箇所を走査して所望の登録箇所を強調表示する携帯電話機及びプログラムに関するものである。
【背景技術】
【０００２】
インターネット閲覧機能を有する携帯電話機で、登録された店舗一覧表画面の中から訪問したい店舗を選択すると、その店舗の場所をマッピング表示した地図画面に切り替えて表示する技術が知られている。（例えば、特許文献１参照。）
【特許文献１】特開２００７−１４７４６８号公報
【発明の開示】
【発明が解決しようとする課題】
【０００３】
この技術は、店舗一覧表画面の中で訪問したい店舗が容易に選択できる場合は有効であるが、選択した店舗が地図上でみると遠かったり、複雑な経路を辿らねばならないので迷いやすかったり感じた場合には、店舗一覧表画面まで戻って再び店舗を選択しなおさねばならず、好みの店舗を決定するための選択や画面切り替え操作が煩雑で、かつ時間を要するなどの問題点があった。
【０００４】
本発明は、上記問題点に鑑み、簡単な操作でかつ短時間で好みの店舗を決定できる携帯電話機及びプログラムを提供することを目的とする。
【課題を解決するための手段】
【０００５】
上記目的を達成するため、請求項１に記載した本発明の携帯電話機は、表示画面より広い領域を有し地図上の所定の位置に所定のＵＲＬにリンクするリンク情報を有する地図情報を受信する通信手段と、２、４、６及び８キーに割り当てて前記表示画面における前記地図の表示をスクロールするスクロールキーと、前記表示画面に前記所定の位置が表示されている場合に該表示画面に表示されている所定の位置が個々に選択されたことを順に走査してカーソルによって表示させるカーソル進行キーと、該カーソルが表示している所定の位置にリンクしているＵＲＬの情報を表示する選択キーとを備えることを特徴とする。
【０００６】
また、請求項２に記載した本発明の携帯電話機は、前記カーソル進行キーがカーソル表示する順とは逆順にカーソルを走査するカーソル後退キーを更に備えることを特徴とする。
【０００７】
また、請求項３に記載した本発明の携帯電話機は、前記スクロールキーとして更に数字キー１、３、７及び９キーが割り当てられていることを特徴とする。
【０００８】
また、本発明は、コンピュータを、表示画面より広い領域を有し地図上の所定の位置に所定のＵＲＬにリンクするリンク情報を有する地図情報を受信する通信手段と、２、４、６及び８キーに割り当てて前記表示画面における前記地図の表示をスクロールするスクロールキーと、前記表示画面に前記所定の位置が表示されている場合に該表示画面に表示されている所定の位置が個々に選択されたことを順に走査してカーソルによって表示させるカーソル進行キーと、該カーソルが表示している所定の位置にリンクしているＵＲＬの情報を表示する選択キーと、該通信手段と該スクロールキーと該カーソル進行キーと該選択キーを制御する制御手段と、を備える携帯電話機として機能させるためのプログラムである。
【発明の効果】
【０００９】
請求項１に記載した本発明による携帯電話機によれば、４個のスクロールキーを押して表示画面に表示される地図と複数の所定位置の表示マークを上下左右にスクロールし、表示画面を見ながらカーソル進行キーを押して表示マークの強調表示を順送りすることにより、視覚的かつ簡単な操作で短時間に好みの所定位置を選択し、その所定位置のＵＲＬにジャンプできる効果がある。
【００１０】
請求項２に記載した本発明による携帯電話機によれば、表示画面を見ながらカーソル後退キーを押して表示マークの強調表示を逆順送りすることにより、より短時間に好みの所定位置を選択し、その所定位置のＵＲＬにジャンプできる効果がある。
【００１１】
請求項３に記載した本発明による携帯電話機によれば、８個のスクロールキーを押して表示画面に表示される地図と複数の所定位置の表示マークを上下左右、右斜め上下、左斜め上下の８方向にスクロールすることにより、より短時間に好みの所定位置を選択し、その所定位置のＵＲＬにジャンプできる効果がある。
【発明を実施するための最良の形態】
【００１２】
以下、添付図面を参照しながら本発明の好適な実施の形態について詳細に説明する。
【００１３】
図１は、本発明の一実施の形態による携帯電話機の構成ブロック図である。携帯電話機１は制御機能２、操作キー３、インターネット閲覧手段４、地図情報メモリ５、表示画面６、候補店舗メモリ７、通信機能８、アンテナ９、スクロール位置メモリ１０、カーソル位置メモリ１１を備えている。
【００１４】
制御機能２は、通信機能８が持つインターネット閲覧手段４により、アンテナ９を経由して不図示の通信回線とサーバ装置から地図情報を入力し、地図情報メモリ５に記憶する。この地図情報には、表示画面６の分解能で表示しうるサイズより大きなサイズの地図と、その地図の上にある店舗それぞれの店舗番号と位置とポップアップ情報などの店舗情報が含まれている。以下、表示画面６の分解能で表示しうるサイズを２４０画素×２４０画素、地図情報メモリ５に記憶されている地図のサイズを１２００画素×１２００画素として説明する。
【００１５】
操作キー３は地図情報メモリ５に記憶されている地図情報のどの部分を表示画面６に表示するかを操作するために使用するスクロールキー３１、表示画面６に表示されている地図上にマッピング表示されている店舗の中から順を追って１つの店舗を強調表示するためのカーソル進行キー３２及びカーソル後退キー３３、強調表示されている店舗を選択するための選択キー３４、及び操作をするための手助けが必要な場合に使用するヘルプキー３５からなる。
【００１６】
スクロール位置メモリ１０には、表示画面６に表示される地図の中心を示す中心座標Ｄ、候補店舗メモリ７には表示画面６に表示されて検索対象となる候補店舗の店舗番号と位置、及び、カーソル位置メモリ１１には上記検索対象となる候補店舗の中でカーソルによって強調表示される店舗の店舗番号が記憶される。
【００１７】
以下、携帯電話機１の機能動作を図２〜図５を用いて説明する。
【００１８】
図２は、携帯電話機１の外観図である。同図で、スクロールキー３１はキー３１ａ〜３１ｈの８個からなり、それぞれ携帯電話機１の数字キーの１キー〜４キー、６キー〜９キーが割り当てられている。カーソル進行キー３２、カーソル後退キー３３、選択キー３４、ヘルプキー３５にはそれぞれ携帯電話機１の＊キー、＃キー、数字キーの０キー、数字キーの５キーが割り当てられている。
【００１９】
図３は、地図情報メモリ５に記憶されている地図情報の例である。図３(ａ)は、地図情報メモリ５に含まれる地図、図３(ｂ)は、地図上にある店舗の店舗情報である。
【００２０】
図３(ａ)には地図上にある店舗の店舗マーク７１〜７９がそれぞれの地図上の位置にマッピング表示されている。同図で店舗マーク７１〜７９は全て○印で例示されているが、星印やハートマークなど他の形でもよく、またそれぞれの店舗の営業職種に応じて形や色を変えても良い。また、同図で道路は太い線分で例示され、建物などの形や位置は省略されているが、これは図を簡単化するための表現であり、表示画面６に表示される通りの表現がされているわけではない。また、破線で囲まれた範囲Ｈ１、Ｈ２は表示画面６に表示される該当範囲を示しており、詳細説明は後述する。
【００２１】
図３(ｂ)は、地図情報メモリ５に記憶されている店舗情報を示す表である。同表には、店舗番号Ｔ７１〜Ｔ７９と、それぞれに対応する地図上の位置Ａ７１〜Ａ７９、ポップアップ内容Ｐ７１〜Ｐ７９、店舗のホームページのＵＲＬにリンクするリンク情報Ｕ７１〜Ｕ７９が含まれている。
【００２２】
図４は、制御機能２の動作を示すフローチャートである。
【００２３】
地図情報記憶手順Ｓ１で、制御機能２はアンテナ９を経由して不図示の通信回線とサーバ装置から地図情報を入力して地図情報メモリ５に記憶するとともに、スクロール位置メモリ１０の記憶内容である中心座標Ｄをあらかじめ定めた値である地図の中央座標に設定する。
【００２４】
スクロール位置記憶手順Ｓ２で、制御機能２はスクロール位置メモリ１０に記憶された中心座標Ｄを中心にして表示画面６の表示サイズである２４０画素×２４０画素に対応した範囲Ｈ１の地図と店舗情報を地図情報から抽出し、その中に含まれる店舗番号Ｔ７４〜Ｔ７６と位置Ａ７４〜Ａ７６を候補店舗メモリ７に記憶する。この抽出された範囲Ｈは、図３(ａ)に鎖線で囲まれた範囲Ｈ１として図示されている。また、スクロール位置記憶手順Ｓ２で、制御機能２は判断手順Ｓ７２によって検知されるスクロールキー３１の操作によりスクロール位置メモリ１０の記憶内容を更新する機能を有するが、その詳細は後述する。
【００２５】
カーソル位置記憶手順Ｓ３で、制御機能２は候補店舗メモリ７に記憶された範囲Ｈ１に含まれた店舗番号Ｔ７４〜Ｔ７６の中で最も上部で、かつその中で最も左部に位置する店舗番号Ｔ７４をカーソル位置メモリ１１に記憶にする。
【００２６】
地図表示手順Ｓ４で、制御機能２は表示画面６に上記手順Ｓ２、Ｓ３で記憶された範囲Ｈ１の地図を表示し、その上に候補店舗メモリ７に記憶された店舗番号Ｔ７４の店舗の店舗マークをマッピング表示する。
【００２７】
強調表示手順Ｓ５で、制御機能２はカーソル位置メモリ１１に記憶された店舗番号Ｔ７４の店舗の店舗マークにカーソル８０を表示する。
【００２８】
ポップアップ表示手順Ｓ６で、制御機能２はカーソル表示した店舗のポップアップ内容を表示する。
【００２９】
図５は、上記手順Ｓ１〜Ｓ６によって表示画面６に表示される画面例である。図５(ａ)ではスクロール位置メモリ１０の記憶内容に従って地図の範囲Ｈ１が表示され、店舗番号Ｔ７４〜Ｔ７６の位置７４Ａ〜７６Ａに対応する店舗マーク７４〜７６がマッピング表示されている。同図で、カーソル位置メモリ１１の記憶内容に従い、矢印で表されたカーソル８０が店舗番号Ｔ７４に対応する店舗マーク７４を指すことで強調表示され、この矢印の根元にポップアップ内容Ｐ７４がポップアップ８１として表示されている。したがって、ユーザが画面５(ａ)を見ることにより、その時点でカーソル８０が指している店舗番号Ｔ７４の店舗が強調表示されていること、その店舗の地図上の位置が店舗マークによって示されていること、ポップアップ内容によってその店舗がどのような特徴を持つかを視覚的に知ることができるので、その店舗がユーザの好みに合致するか否かを判断しやすい。
【００３０】
キー操作検知手順Ｓ７は、携帯電話機１のユーザが表示画面６を見ながら候補店舗メモリ７に記憶された店舗を検索し、その中から好みの店舗をみつけてその店舗のホームページにジャンプする操作を簡単かつスムーズに行うための手順である。
【００３１】
先ず、上記で説明してきた手順Ｓ１〜Ｓ６により、表示画面６が地図の範囲Ｈ１を表示しており、カーソル８０が店舗番号Ｔ７４の店舗マーク７４を強調表示し、ポップアップ８１が表示されている状態で、ユーザがこの店舗番号Ｔ７４の店舗のホームページにジャンプしたい場合について説明する。この場合、ユーザは選択キー３４だけを押して操作する。制御機能２はキー操作検知手順Ｓ７の中の判断手順Ｓ７１でカーソル進行キー３２及びカーソル後退キー３３が操作されていないことを検知してＮＯ側を辿り、判断手順Ｓ７２でスクロールキー３１が操作されていないことを検知してＮＯ側を辿り、判断手順Ｓ７３で選択キー３４が操作されていることを検知する。その結果、制御機能２は判断手順Ｓ７３のＹＥＳ側を辿ってジャンプ手順Ｓ８に到達する。ジャンプ手順Ｓ８で、制御機能２はカーソル位置メモリ１１の記憶内容を参照して図３(ｂ)の店舗番号Ｔ７４に対応するリンク情報Ｕ７４にアクセスする。すなわち、ユーザは表示画面６の表示内容をみて選択キー３４を押すだけの操作で好みの店舗のホームページにジャンプできる。
【００３２】
次に、ユーザが地図の範囲Ｈ１の中で、店舗番号Ｔ７４ではない他の店舗を検索したい場合につき説明する。この場合、ユーザはカーソル進行キー３２を押して操作する。カーソル進行キー３２を一度押すと判断手順Ｓ７１がこれを検知してＹＥＳ側を辿り、制御機能２は先に説明したように手順Ｓ２〜Ｓ６を辿り、候補店舗メモリ７に記憶された店舗の中から位置Ａ７４の次に範囲Ｈ１内で最も上部かつその中で最も左部に位置する店舗番号Ｔ７５をカーソル位置メモリ１１に記憶し、位置Ａ７５にカーソル８０を移動させて店舗番号Ｔ７５の店舗マーク７５を強調表示すると共に、対応するポップアップ内容Ｐ７５をポップアップ８１に表示する。
【００３３】
ユーザがこの店舗番号Ｔ７５の店舗のホームページにジャンプしたい場合、ユーザが選択キー３４を押して操作すると、先に説明したようにキー操作検知手順Ｓ７を辿って店舗番号Ｔ７５に対応するリンク情報Ｕ７５にアクセスする。
【００３４】
店舗番号Ｔ７５ではない他の店舗の検索を続けたい場合は、ユーザがカーソル進行キー３２を再び押して操作すると、判断手順Ｓ７１がこれを検知してＹＥＳ側を辿り、制御機能２は再び手順Ｓ２〜Ｓ６を辿って位置Ａ７５の次に地図の範囲Ｈ１の最も上部かつその中で最も左部に位置する店舗番号Ｔ７６をカーソル位置メモリ１１に記憶し、位置Ａ７６にカーソル８０を移動させて店舗番号Ｔ７６の店舗マーク７６を強調すると共に、対応するポップアップ内容Ｐ７６をポップアップ８１に表示する。
【００３５】
ユーザが店舗番号Ｔ７６ではない他の店舗を検索したい場合、カーソル進行キー３２を再び押して操作すると、判断手順Ｓ７１がこれを検知してＹＥＳ側を辿り、制御機能２は再び手順Ｓ２〜Ｓ６を辿って候補店舗メモリ７に記憶された店舗の中で位置Ａ７６の次に地図の範囲Ｈ１の最も上部かつその中で最も左部に位置する店舗番号を検索する。該当する店舗番号が存在しない場合は、地図の範囲Ｈ１の最も上部かつその中で最も左部に位置する店舗番号Ｔ７４を再びカーソル位置メモリ１１に記憶し、位置Ａ７４にカーソル８０を移動させて店舗番号Ｔ７４の店舗マーク７４を強調表示すると共に、対応するポップアップ内容Ｐ７４をポップアップ８１に表示する。
【００３６】
上記で説明したように、ユーザがカーソル進行キー３２を押して操作する度に制御機能２は店舗番号Ｔ７４→店舗番号Ｔ７５→店舗番号Ｔ７６→店舗番号Ｔ７４→店舗番号Ｔ７５、、、と順々に地図の範囲Ｈ１の上部左端から下部右端へ候補店舗メモリ７に記憶された店舗の店舗番号を循環して強調表示するとともにポップアップを表示するので、好みの店舗番号が強調された時点で選択キー３４を押して操作することにより、簡単かつスムーズに好みの店舗番号のＵＲＬにジャンプことができる。
【００３７】
なお、上記手順の中でユーザがカーソル後退キー３３を押して操作した場合、制御機能２は、候補店舗メモリ７に記憶された店舗の中からカーソル位置メモリ１１に記憶されている店舗番号の位置の次に地図の範囲Ｈ１の最も下部かつその中で最も右部に位置する店舗番号をカーソル位置メモリ１１に記憶する。すなわち、ユーザがカーソル後退キー３３を押して操作する度に制御機能２は店舗番号Ｔ７６→店舗番号Ｔ７５→店舗番号Ｔ７４→店舗番号Ｔ７６→店舗番号Ｔ７５、、、と候補店舗メモリ７に記憶された店舗を順々に地図の範囲Ｈ１の下部右端から上部左端へ該当する店舗番号を逆順に循環して強調表示するとともにポップアップを表示することとなる。調べたい店舗の位置が現在強調表示されている店舗の位置よりも上部にある場合、この操作を使用することにより調べたい店舗の位置を少ない操作回数で速く強調表示することができる。
【００３８】
次に、スクロールキー３１を用いて、表示画面６に地図の中の地図の範囲Ｈ１とは別の範囲Ｈ２を表示する手順を説明する。判断手順Ｓ７２でスクロールキー３１の操作を検知したとき、制御機能２はスクロール位置記憶手順Ｓ２でスクロール位置メモリ１０の記憶内容である中心座標Ｄを下記のように更新する。スクロールキー３１の操作はキー３１ａ〜３１ｈを押すことにより行うことができる。
キー３１ａ（１キー）が押された時：中心座標Ｄを上に１単位、左に１単位移動する。
キー３１ｂ（２キー）が押された時：中心座標Ｄを上に１単位移動する。
キー３１ｃ（３キー）が押された時：中心座標Ｄを上に１単位、右に１単位移動する。
キー３１ｄ（４キー）が押された時：中心座標Ｄを左に１単位移動する。
キー３１ｅ（６キー）が押された時：中心座標Ｄを右に１単位移動する。
キー３１ｆ（７キー）が押された時：中心座標Ｄを下に１単位、左に１単位移動する。
キー３１ｇ（８キー）が押された時：中心座標Ｄを下に１単位移動する。
キー３１ｈ（９キー）が押された時：中心座標Ｄを下に１単位、右に１単位移動する。
これらのスクロール単位の大きさは任意であるが、表示画面の半分の大きさなどが適当である。
【００３９】
上記した割り当てに基づいてスクロールキー３１の操作を繰り返することにより、表示画面６に表示する地図の中心座標Ｄを簡単に上下左右に移動して更新することができる。
【００４０】
以下、キー３１ｄが押された場合の例を図３(ａ)を参照しつつ説明する。
【００４１】
判断手順Ｓ７２でキー３１ｄが押されたことを検知するたびに、制御機能２は手順Ｓ２で中心座標Ｄを左に１単位ずつ移動して更新し、更新された中心座標Ｄを中心にして表示画面６の表示サイズである２４０画素×２４０画素に対応した範囲Ｈの地図情報から抽出し、その中に含まれる店舗情報の記憶内容を候補店舗メモリ７に記憶する。図３(ａ)に示した地図の例では、キー３１ｄを押すたびに店舗番号Ｔ７６の位置が地図の範囲Ｈの左端に迫り、遂には店舗番号Ｔ７６の位置が範囲Ｈの内から外れてしまう。上述したように、手順Ｓ２は地図の範囲Ｈの中に含まれる店舗情報を記憶するので、この場合は候補店舗メモリ７に店舗番号Ｔ７６は記憶されず、店舗番号Ｔ７４，Ｔ７５だけが位置Ａ７４、Ａ７５とともに候補店舗メモリ７に記憶されることとなる。
【００４２】
更にキー３１ｄを押し続けると、店舗番号７３の位置が地図の範囲Ｈの右端に迫り、遂には店舗番号７３の位置が範囲Ｈの内に入るので、店舗番号Ｔ７３、Ｔ７４、Ｔ７５とそれらの位置Ａ７３、Ａ７４、Ａ７５が候補店舗メモリ７に記憶される。上記で、キー３１ｄを用いて行った説明は、スクロールキー３１の他のそれぞれのキー３１ａ〜３１ｃ、３１ｅ〜３１ｈについても同様なので、スクロールキー３１の操作により表示画面６に表示する地図の範囲Ｈを画面の任意の位置にスクロールすることが出来る。すなわち、図３(ａ)で範囲Ｈ２は範囲Ｈ１の左上方に位置するので、ユーザは表示画面６を見ながらスクロールキー３１ｂ、３１ｄを押して操作することにより、あるいはこれにスクロールキー３１の操作を適当に加えることにより中心座標Ｄを移動して、範囲Ｈ２を表示することができる。
【００４３】
制御機能２は、スクロールキー３１の操作を検知するたびに手順Ｓ２〜Ｓ６をその都度更新された候補店舗メモリ７、スクロール位置メモリ１０の記憶内容に応じて行うので、表示画面６にはスクロールキー３１の操作に応じて地図とその地図上に位置する店舗候補の店舗マークがスクロール表示される。
【００４４】
なお、制御機能２はカーソル位置記憶手順Ｓ３で候補店舗メモリ７に記憶された範囲Ｈ１に含まれた店舗番号Ｔ７４〜Ｔ７６の中で最も上部で、かつその中で最も左部に位置する店舗番号Ｔ７４をカーソル位置メモリ１１に記憶にするので、上記スクロールキー３１を操作すると、その時点でカーソル８０で強調表示されている店舗番号の店舗がまだ表示画面６の画面上に表示されているにもかかわらずカーソル８０が移動して強調表示される店舗が変わる場合があり煩雑となる。この煩雑さを避けるために、カーソル位置メモリ１１の記憶内容である店舗番号が範囲Ｈ１の中にある場合には候補店舗メモリ７を更新しないで同一の店舗番号が強調表示され続けるようにし、この店舗番号の店舗が範囲Ｈから外れた場合にだけ候補店舗メモリ７を更新することにしても良い。
【００４５】
なお、図４を用いて説明した操作を正しく行うための手助けが必要な場合、ユーザはヘルプキー３５を操作する。ヘルプキー３５の操作を検知した場合、制御機能２は不図示のヘルプファイルを表示画面６に表示する。
【００４６】
以上、図１〜図５を用いて説明した本発明による携帯電話機１によれば、表示画面６の表示内容である地図と店舗マーク、店舗マークのカーソル８０による強調表示とポップアップ内容を見ながら、簡単な操作でかつ短時間で好みの店舗を選択し、その店舗のホームページにジャンプできる携帯電話機を実現することができる。
【００４７】
なお、本発明は上記実施の形態に限定されるものではない。
【００４８】
図３(ｂ)は、表示画面６の画面に図３(ａ)のごとく表示されるものと同一の表示内容を中央部分に向けて少し縮小表示し、四方にできた余白にスクロールガイド９１〜９９を追加表示したものである。スクロールガイド９１〜９９は、図３(ｂ)の図中にイラストで示すごとく、キー３１ａ〜３１ｈのそれぞれがどの携帯電話の数字キーと対応しており、またそれぞれがどの方向へのスクロール機能を有するかを視覚的に理解しやすくする効果があり、特に本発明による携帯電話機１の操作に不慣れなユーザでも簡単かつスムーズにスクロール操作を行えるという効果がある。更に、ユーザがスクロールキー３１ｂの操作を繰り返して行う間に範囲Ｈが地図の上端に達してしまうと、これ以上のスクロールキー３１ｂの操作が無効な状況となるが、この時点でスクロールガイド９１〜９３の表示を行わないようにすれば、ユーザは視覚的にこの状況を認識することができる。これはスクロールキー３１ａ、３１ｃ〜３１ｈの操作中も同様であり、これらに対応するスクロールガイドの表示を行わないことによりユーザに無効な操作を認識させる効果がある。
【００４９】
なお、上記の操作が無効な状況は下記のようにして知ることができる。すなわち、
座標原点を地図の左端とし、地図のサイズをｔ１画素×ｔ２画素とし、範囲Ｈのサイズをｈ１画素×ｈ２画素とし、中心座標Ｄの左右値をｄ１、上下値をｄ２とした場合、下記の関係となる。
ｄ１＜ｈ１÷２          なら左方向へのスクロールは無効。
ｄ１＞ｔ１−ｈ１÷２    なら右方向へのスクロールは無効。
ｄ２＜ｈ２÷２          なら下方向へのスクロールは無効。
ｄ２＞ｔ２−ｈ２÷２    なら上方向へのスクロールは無効。
【００５０】
また、上記した実施の形態では、スクロールキー３１はキー３１ａ〜３９ｈの８個から構成するとしたが、その中の斜め上方あるいは斜め下方へのスクロールを担当するキー３１ａ、３１ｃ、３１ｆ、３１ｈの機能は、他のキー３１ｂ、３１ｄ、３１ｅ、３１ｇを組み合わせて操作することにより省略が可能であり、キー３１ａ、３１ｃ、３１ｆ、３１ｈを削除しても良いのは明白である。
【００５１】
なお、上記した実施の形態では、表示画面６に表示しうるサイズを２４０画素×２４０画素、地図情報メモリ５に記憶する地図のサイズを１２００画素×１２００画素としたが、共にその他のサイズでも良いことは云うまでもない。
【００５２】
また、表示画面６には地図情報メモリ５に記憶された地図の選択された部分を切り出して表示するが、これに加えて地図情報メモリ５に記憶された地図をそのまま縮小して、あるいは縮小したものの選択された部分を表示する機能を付加してもよい。
【００５３】
また、上記した実施の形態では、地図情報に地図と店舗情報が含まれているとしたが、店舗情報は商店や企業である必要はなく、その他の施設や観光地など、地図上に所在地が定まっている所定の位置であれば何でも良いのは言うまでもない。
【００５４】
また、本発明の携帯電話機は、コンピュータを本携帯電話機として機能させるためのプログラムでも実現される。このプログラムは、コンピュータで読み取り可能な記録媒体に格納されていてもよい。
【００５５】
このプログラムを記録した記録媒体は、図１に示される携帯電話機１のＲＯＭそのものであってもよいし、また、外部記憶装置としてＣＤ−ＲＯＭドライブ等のプログラム読取装置が設けられ、そこに記録媒体を挿入することで読み取り可能なＣＤ−ＲＯＭ等であってもよい。
【００５６】
また、上記記録媒体は、磁気テープ、カセットテープ、フレキシブルディスク、ハードディスク、ＭＯ／ＭＤ／ＤＶＤ等、又は半導体メモリであってもよい。
【図面の簡単な説明】
【００５７】
【図１】本発明による携帯電話機の構成ブロック図である。
【図２】本発明による携帯電話機の外観図である。
【図３】地図情報に含まれる地図と店舗情報である。
【図４】携帯電話機の制御機能の動作を示すフローチャートである。
【図５】表示画面に表示される画面表示の例である。
【符号の説明】
【００５８】
１      携帯電話機
２      制御機能
３      操作キー
５      地図情報メモリ
６      表示画面
７      候補店舗メモリ
１０    スクロール位置メモリ
１１    カーソル位置メモリ
３１    スクロールキー
３２    カーソル進行キー
３３    カーソル後退キー
【図１】
2009177437.tif 000003
【図２】
2009177437.tif 000004
【図３】
2009177437.tif 000005
【図４】
2009177437.tif 000006
【図５】
2009177437.tif 000007